(57)【特許請求の範囲】
【請求項１】
所定間隔をおいて対向する正面部と背面部とを台部に立設した本体と、前記本体の背面部に取り付けられ、前記正面部と前記背面部との間に挿入されるパネルに当接してバネ力を付勢し、前記パネルの直立状態を保持する弾性支持部材と、を備えた、パネル立てであって、
前記弾性支持部材は、折り曲げ加工された板バネからなり、側面視、前記本体の背面部から前記正面部に向けて斜め下方に延びる傾斜面部を備え、かつ、
前記正面部と前記背面部との間に挿入されるパネルに対し、該パネルの高さ方向の位置が異なる箇所において、前記傾斜面部の端部が当接する、複数の弾性支持部材を備え、
前記正面部と前記背面部との間の底部近傍に設けた金属板と、該金属板の上に設けたＬＥＤ光源と、前記金属板と接するように設けた放熱板とを備え、
前記放熱板は前記正面部の内面に位置するとともに、前記放熱板と前記正面部の内面との間に放熱空間を形成した、パネル立て。
【請求項２】
前記背面部の上端部は、前記正面部側に反転した屈曲部を有し、該屈曲部と前記背面部の内面との間に、前記弾性支持部材の一部を支持するための溝部が形成されるとともに、前記溝部の下方の前記背面部の内面には、前記弾性支持部材の一部を係止するための係止部が形成され、
前記複数の弾性支持部材の内の一の弾性支持部材は、前記背面部の内面に沿うベース部と、該ベース部から反転折り返し部を介して連続する傾斜面部とを備え、前記反転折り返し部が前記溝部に挿入されて支持されるとともに、前記一の弾性支持部材のベース部の下端部が前記係止部に位置し、
前記複数の弾性支持部材の内の他の弾性支持部材は、前記背面部の内面に沿うベース部と、該ベース部の一部を折り曲げて起立する傾斜面部とを備え、前記一の弾性支持部材の内面に重ねられて、前記他の弾性支持部材のベース部の上端部が前記一の弾性支持部材の反転折り返し部に挿入されて支持されるとともに、前記他の弾性支持部材のベース部の下端部が前記係止部に位置する、請求項１に記載のパネル立て。
【請求項３】
前記背面部の上端部は、前記正面部側に反転した屈曲部を有し、該屈曲部と前記背面部の内面との間に、前記弾性支持部材の一部を支持するための溝部が形成されるとともに、前記溝部の下方の前記背面部の内面には、前記弾性支持部材の一部を係止するための係止部が形成され、
前記複数の弾性支持部材の内、一の弾性支持部材と他の弾性支持部材は共に夫々、前記背面部の内面に沿うベース部と、該ベース部から反転折り返し部を介して連続する傾斜面部とを備え、前記反転折り返し部が前記溝部に挿入されて支持されるとともに、前記ベース部の下端部が前記係止部に位置し、
前記一の弾性支持部材と前記他の弾性支持部材とは、夫々の傾斜面部の長さ及び傾斜角度が異なっており、これにより、前記正面部と前記背面部との間に挿入されるパネルに対し、該パネルの高さ方向の位置が異なる箇所において、前記傾斜面部の端部が当接する、請求項１に記載のパネル立て。
【発明の詳細な説明】
【技術分野】
【０００１】
本発明は、広告宣伝、標識等が表示されるアクリル板その他のパネルを安定した起立状態に保持することのできる、パネル立てに関する。
【背景技術】
【０００２】
従来、所定間隔をおいて対向する正面部と背面部とを台部に立設してなり、正面部と背面部との間にシート状物を差して、これらが起立した状態を保持しようとするものが、知られている。
しかし、差し込むシート状物等の、種々の厚さに対応できるように、正面部と背面部との間隙に余裕をもたせて作製されているため、シート状物等の厚さが薄く、遊びが大きいと、シート状物等は、正面部と背面部との間でぐらつき、傾いてしまい、起立状態が不安定となり、見栄えも良くない。
かかる問題を考慮したものとして、本出願人の出願に係る特許文献１には、「所定間隔をおいて対向する正面部と背面部とを台部に立設してなる本体を備えたシート状物立てであって、前記背面部に、前記正面部の高さ方向のほぼ中央部から上部において前記背面部側から前記正面部側に向けて付勢する弾性部材を設けるとともに、前記正面部と前記背面部との間に形成される内側底部に、前記正面部側から前記背面部側に向けて上方へ傾斜する傾斜面部を形成し、前記正面部と前記背面部との間に差されるシート状物を直立した状態で保持する、シート状物立て。」が記載されている。
また、広告宣伝、標識等が表示されるアクリル板等のパネルであって、パネルの端面からＬＥＤ光源等の光を入射させて面発光を行うディスプレイパネルを立てて使用するためのスタンドが知られている。このような装置として、特許文献２には、「スタンドベースと，該スタンドベースに起立設置したディスプレイパネルとを備え，上記スタンドベースに保持溝を形成し，該保持溝長手方向にＬＥＤ光源を多数直列配置するとともに保持溝長手方向複数個所に該ＬＥＤ光源より上端を僅少高位としたスペーサーを配置し，該スペーサーを介して上記ディスプレイパネルの下端を保持溝に保持してなることを特徴とする簡易構成のディスプレイ装置。」が記載されている。
【先行技術文献】
【特許文献】
【０００３】
【特許文献１】特開２０１１−９５３４６号公報
【特許文献２】特開２００８−２２４９６７号公報
【発明の概要】
【発明が解決しようとする課題】
【０００４】
上記特許文献１に記載の発明は、比較的軽量であるシート状物の起立状態を保持するのには適するが、上記特許文献２に記載のようなディスプレイパネル等、差し込む物がパネル等、比較的重いものである場合、安定した起立状態を保持しにくい面がある。
また、上記特許文献２に記載の装置は、厚さの異なる種々のパネルに対して安定した起立状態を保持できるようにするという点は、何ら考慮されていない。
本発明は、上記のような従来の技術の問題点を考慮してなされたもので、表示板等のパネルを、その厚さにかかわらず、安定した起立状態に保持することができ、またＬＥＤ光源を用いたディスプレイを行うのに好適な、パネル立てを提供することを目的とする。
【課題を解決するための手段】
【０００５】
（１）所定間隔をおいて対向する正面部と背面部とを台部に立設した本体と、前記本体の背面部に取り付けられ、前記正面部と前記背面部との間に挿入されるパネルに当接してバネ力を付勢し、前記パネルの直立状態を保持する弾性支持部材と、を備えた、パネル立てであって、
前記弾性支持部材は、折り曲げ加工された板バネからなり、側面視、前記本体の背面部から前記正面部に向けて斜め下方に延びる傾斜面部を備え、かつ、
前記正面部と前記背面部との間に挿入されるパネルに対し、該パネルの高さ方向の位置が異なる箇所において、前記傾斜面部の端部が当接する、複数の弾性支持部材を備え、
前記正面部と前記背面部との間の底部近傍に設けた金属板と、該金属板の上に設けたＬＥＤ光源と、前記金属板と接するように設けた放熱板とを備え、
前記放熱板は前記正面部の内面に位置するとともに、前記放熱板と前記正面部の内面との間に放熱空間を形成した、パネル立てである。
（２）前記背面部の上端部は、前記正面部側に反転した屈曲部を有し、該屈曲部と前記背面部の内面との間に、前記弾性支持部材の一部を支持するための溝部が形成されるとともに、前記溝部の下方の前記背面部の内面には、前記弾性支持部材の一部を係止するための係止部が形成され、
前記複数の弾性支持部材の内の一の弾性支持部材は、前記背面部の内面に沿うベース部と、該ベース部から反転折り返し部を介して連続する傾斜面部とを備え、前記反転折り返し部が前記溝部に挿入されて支持されるとともに、前記一の弾性支持部材のベース部の下端部が前記係止部に位置し、
前記複数の弾性支持部材の内の他の弾性支持部材は、前記背面部の内面に沿うベース部と、該ベース部の一部を折り曲げて起立する傾斜面部とを備え、前記一の弾性支持部材の内面に重ねられて、前記他の弾性支持部材のベース部の上端部が前記一の弾性支持部材の反転折り返し部に挿入されて支持されるとともに、前記他の弾性支持部材のベース部の下端部が前記係止部に位置するするものである。
（３）前記背面部の上端部は、前記正面部側に反転した屈曲部を有し、該屈曲部と前記背面部の内面との間に、前記弾性支持部材の一部を支持するための溝部が形成されるとともに、前記溝部の下方の前記背面部の内面には、前記弾性支持部材の一部を係止するための係止部が形成され、
前記複数の弾性支持部材の内、一の弾性支持部材と他の弾性支持部材は共に夫々、前記背面部の内面に沿うベース部と、該ベース部から反転折り返し部を介して連続する傾斜面部とを備え、前記反転折り返し部が前記溝部に挿入されて支持されるとともに、前記ベース部の下端部が前記係止部に位置し、
前記一の弾性支持部材と前記他の弾性支持部材とは、夫々の傾斜面部の長さ及び傾斜角度が異なっており、これにより、前記正面部と前記背面部との間に挿入されるパネルに対し、該パネルの高さ方向の位置が異なる箇所において、前記傾斜面部の端部が当接するものである。
【発明の効果】
【０００６】
（１）本発明によれば、パネルを本体の正面部と背面部との間に差し込むと、背面部側から正面部側に向けて付勢する弾性支持部材によって、パネルは、正面部側に押し付けられる。種々の異なる厚さのパネルを安定した起立状態に保持することができ、適応範囲が広いという利点がある。そして、複数の弾性支持部材は、正面部と背面部との間に挿入されるパネルに対し、それぞれ該パネルの高さ方向の位置が異なる箇所において、各弾性支持部材の傾斜面部の端部が当接するため、差し込まれたパネルは、いわば足元がふらつかず、正面部と背面部との間で正面部の内面に沿って安定した起立状態に保持され、見栄えも良い。
また、正面部と背面部との間の底部近傍に設けた金属板と、該金属板の上に設けたＬＥＤ光源と、金属板と接するように設けた放熱板とを備え、放熱板は正面部の内面に位置するとともに、放熱板と正面部の内面との間に放熱空間を形成した構成により、ＬＥＤ光源を用いたディスプレイを行う際に、ＬＥＤ光源による発熱を放散して、パネルの加熱を防止し、取扱の安全性を向上するとともに、パネル端面のへの光の入射を的確、確実に行うことができる。
（２）背面部の上端部は、正面部側に反転した屈曲部を有し、該屈曲部と背面部の内面との間に、弾性支持部材の一部を支持するための溝部が形成されるとともに、溝部の下方の背面部の内面には、弾性支持部材の一部を係止するための係止部が形成され、複数の弾性支持部材の内の一の弾性支持部材は、背面部の内面に沿うベース部と、該ベース部から反転折り返し部を介して連続する傾斜面部とを備え、反転折り返し部が溝部に挿入されて支持されるとともに、一の弾性支持部材のベース部の下端部が係止部に位置し、記複数の弾性支持部材の内の他の弾性支持部材は、背面部の内面に沿うベース部と、該ベース部の一部を折り曲げて起立する傾斜面部とを備え、一の弾性支持部材の内面に重ねられて、他の弾性支持部材のベース部の上端部が一の弾性支持部材の反転折り返し部に挿入されて支持されるとともに、他の弾性支持部材のベース部の下端部が係止部に位置する構成により、背面部に設けられた溝部と係止部を有効に利用して複数の弾性支持部材を本体の所定位置に支持することができる。
（３）背面部の上端部は、正面部側に反転した屈曲部を有し、該屈曲部と背面部の内面との間に、弾性支持部材の一部を支持するための溝部が形成されるとともに、溝部の下方の背面部の内面には、弾性支持部材の一部を係止するための係止部が形成され、複数の弾性支持部材の内、一の弾性支持部材と他の弾性支持部材は共に夫々、背面部の内面に沿うベース部と、該ベース部から反転折り返し部を介して連続する傾斜面部とを備え、反転折り返し部が溝部に挿入されて支持されるとともに、ベース部の下端部が係止部に位置し、一の弾性支持部材と他の弾性支持部材とは、夫々の傾斜面部の長さ及び傾斜角度が異なっており、これにより、正面部と背面部との間に挿入されるパネルに対し、該パネルの高さ方向の位置が異なる箇所において、傾斜面部の端部が当接する構成により、背面部に設けられた溝部と係止部を有効に利用して複数の弾性支持部材を本体の所定位置に支持することができる。
【図面の簡単な説明】
【０００７】
【図１】パネル立て１の（右）側面図である。
【図２】パネル立て１の本体１０の（右）側面図である。
【図３】パネル立て１の正面図である。
【図４】パネル立て１の平面図である。
【図５】弾性支持部材２０，２１の斜視図である。
【図６】弾性支持部材２２，２３の斜視図である。
【図７】パネル立て１の（右）側面図である。
【図８】パネル立て１の使用状態を示す側面図である。
【発明を実施するための形態】
【０００８】
発明を実施するための形態を実施例に基いて図面を参照して説明するが、本発明は以下の形態に限定されるものではない。
【実施例】
【０００９】
＜本体＞
図１〜３に示すとおり、パネル立て１の本体１０は、所定間隔をおいて対向する正面部１１と背面部１２とを、テーブルその他の水平面に載置可能な台部１３の奥行き（Ｄ）方向の中間部に略垂直に立設してなる。正面部１１と背面部１２とは平行に対向している。
本体１０を形成する正面部１１、背面部１２及び台部１３は、一体成形で形成された硬質の合成樹脂材からなり、長手方向（幅方向）に直線状に延びており、長尺物として成形されたものを適宜長さ（幅）に切断して形成されている。このため、使用目的に応じて、適宜長さに切断して作製することができ、製造が簡単である。
本体１０の大きさは、一例として、その高さＨは２〜６ｃｍ程度、奥行きＤは３〜７ｃｍ程度、幅Ｗは５〜３０ｃｍ程度のものが挙げられる。正面部１１と背面部１２との間隔Ｌ１は、主に使用するパネルの厚さ(通常、４〜１０ｍｍ程度）を考慮して決定され、一例として、８〜１５ｍｍ程度である。台部１３の下面には、載置面等への固定手段として、粘着テープその他の手段を設けることができる。
【００１０】
背面部１２の内側には、正面部１１の高さ方向のほぼ中央部から上部において背面部側から正面部側に向けてバネ力を付勢する弾性支持部材２０，２１（後述）が設けられている。
背面部１２の上端部は、正面部側に反転した、逆Ｕ字状の屈曲部１４を有し、該屈曲部１４と背面部１２の内面との間に、弾性支持部材２０，２１の一部を支持するための溝部１５が形成されている。溝部１５の下方の背面部１２の内面には、弾性支持部材２０，２１の一部を係止するための鉤状の係止部１７が形成されている。
【００１１】
正面部１１と背面部１２との間に形成される内側底部には、後述する金属板３０を所定位置に取り付けるための突条１８と段部１９、さらに段部１９よりも背面部１２側には、正面部１１側から背面部１２側に向けて上方へ傾斜する傾斜面部１６が形成されている。この傾斜面部１６を形成することにより、比較的厚めのパネルを挿入する際、パネルの下端部は、その背面部側が、傾斜面部１６に当接し、背面部側への動きが規制され、該箇所においても支持される。このため、差し込まれたパネルは、正面部１１と背面部１２との間で正面部１１の内面に沿って安定に起立した状態に保持される。傾斜面部１６は、凹凸のない平らな面状に形成されている。このため、パネルを差し込む際、パネルは、途中で引っ掛かることなく、その下端部の終止位置へとスムーズに到達する。もっとも適宜凹凸を形成してもよい。
【００１２】
＜弾性支持部材＞
弾性支持部材２０，２１は、正面部１１と背面部１２との間に差し込まれたパネルＰに対し、背面部側から正面部側へ向けてバネによる押圧力を加えるための部材であり、弾性変形可能な弾性体からなる。
弾性支持部材２０，２１は、折り曲げ加工された板バネからなり、図５に示すとおり、夫々、側面視、本体１０の背面部１２から正面部１１に向けて斜め下方に延びる傾斜面部２０ｃ，２１ｃを備えている。傾斜面部２０ｃ，２１ｃはパネルＰの差込方向に向けて傾斜しているため、パネルＰの差込がスムーズに行われるようになっている。
また、正面部１１と背面部１２との間に挿入されるパネルＰに対し、該パネルＰの高さ方向の位置が異なる箇所において、傾斜面部の端部が当接するように、複数の弾性支持部材２０と２１を備えて構成されている。
複数の弾性支持部材の内の一の弾性支持部材２０は、背面部１２の内面に沿うベース部２０ａと、該ベース部２０ａから反転折り返し部２０ｂを介して連続する傾斜面部２０ｃとを備え、反転折り返し部２０ｂが本体１０の溝部１５に挿入されて支持されるとともに、一の弾性支持部材２０のベース部２０ａの下端部が係止部１７に位置するようになっている。
【００１３】
複数の弾性支持部材の内の他の弾性支持部材２１は、背面部１２の内面に沿うベース部２１ａと、該ベース部２１ａの一部を折り曲げて起立する傾斜面部２１ｃとを備え、一の弾性支持部材２０の内側に重ねられて、他の弾性支持部材２１のベース部２１ａの上端部が一の弾性支持部材２０の反転折り返し部２０ｂに挿入されて支持されるとともに、他の弾性支持部材２１のベース部２１ａの下端部が係止部１７に位置する。
また、各弾性支持部材２０，２１は、パネルＰを差した際、そのパネルＰに接する傾斜面部２０ｃ，２１ｃの先端に、アールに形成した曲面状の折り曲げ端部２０ｄ，２１ｄが夫々形成されており、パネルＰの抜き差しをスムーズに、かつパネルＰを傷めずに行うことができるようになっている。
傾斜面部２０ｃ，２１ｃのベース部２１との傾斜角αは、パネルＰを挿入していない状態で通常４５〜７０°程度である。
【００１４】
また、一の弾性支持部材２０と他の弾性支持部材２１は、これを一つの組とすると、図４に例示するように本体１の長手方向に適宜の複数組が配設される（図示の例では５組）。
前記のとおり、本体１は、一体成形で形成された硬質の合成樹脂材からなり、長手方向（幅方向）に直線状に延びる長尺物として成形されているため、弾性支持部材２０と弾性支持部材２１を組み合わせた状態で，本体１の横方向から、あるいは上方から挿入して装着することができる。装着される弾性支持部材２０，２１の組数を適宜変更することにより、差し込まれるパネルＰに対する押圧力をに調節することができる。
弾性支持部材２０，２１は、通常、厚さ０．１〜０．３ｍｍ程度のＳＫ材、ステンレス鋼材等の金属板で形成される。弾性支持部材２０、２１の幅は、上記のように複数組配設する場合、一例として１．５〜２．５ｃｍ程度である。
【００１５】
上記のような一の弾性支持部材２０と他の弾性支持部材２１の構成に代えて、図６，７に示すような構成を採用してもよい。すなわち、図６に示すものは、一の弾性支持部材２２と他の弾性支持部材２３は共に夫々、背面部１２の内面に沿うベース部２２ａ，２３ａと、該ベース部２２ａ，２３ａから反転折り返し部２２ｂ，２３ｂを介して連続する傾斜面部２２ｃ，２３ｃとを備え、反転折り返し部２２ｂ，２３ｂが本体１０の溝部１５に挿入されて支持されるとともに、ベース部２２ａ，２３ａの下端部が係止部１７に位置するようになっている。
しかし、一の弾性支持部材２２と他の弾性支持部材２３とは、各傾斜面部２２ｃ，２３ｃの長さ及び傾斜角度が異なっており、これにより、正面部１１と背面部１２との間に挿入されるパネルＰに対し、該パネルＰの高さ方向の位置が異なる箇所において、傾斜面部２２ｃ，２３ｃの端部が当接するようになっている。一の弾性支持部材２２と他の弾性支持部材２３は、例えば、図６に示すような位置関係となるように、本体１０の長手方向に交互に配設することができる。
【００１６】
＜ＬＥＤ電源ほか＞
前記のとおり、正面部１１と背面部１２との間に形成される内側底部には、金属板３０を所定位置に取り付けるための突条１８と段部１９が形成されている。金属板３０は、側面視Ｌ字状に形成されたアルミニウム製の長尺板で、突条１８と段部１９に係合するように取り付けられる。
金属板板３０の上には、ＬＥＤ光源４０が設けられている。ＬＥＤ光源４０は、発光素子を本体１０の長手方向に沿って複数個直列的に配置したユニット等により構成され、商用交流電源等に接続されて発光する。
金属板３０の、本体１０の正面部側には、金属板３０と接するように、放熱板５０が設けられている。放熱板５０は、短手方向の一方端部が鉤状のアルミニウム製の長尺板で、正面部１１の内面に位置する。本体１０の正面部１１の内面には、複数の凹部１１ａが形成されており、この凹部１１ａが、本体１０の正面部１１の内面と放熱板５０との離隔した空間となり、凹部１１ａは本体１０の長手方向を連通する空間であるため、ＬＥＤ光源４０による発熱を放散する放熱空間として機能する。
【００１７】
ＬＥＤ光源４０を用いたディスプレイを行う際に用いられるパネルＰは、シルク印刷等により広告等の任意表示を施したアクリル板等の導光板の背面側に反射層を備えたもの、その他、導光板の端面から光を入射させて面発光を行う各種の公知のエッジライト型ＬＥＤ光源用面発光パネルを使用することができる。ＬＥＤ光源４０からパネルＰの導光板に照射された光によって、パネルＰの面発光による任意表示のディスプレイが効率的に行われる。
【００１８】
＜使用方法＞
パネルＰを本体１の正面部１１と背面部１２との間に上方から所定の位置まで差し込んで使用する。取り外しは、パネルＰを上方に引き抜けばよい。図８は、差し込みの完了した使用状態を例示するものである。
本発明に係るパネル立ては、商店の商品説明板、レセプションの案内板、オフィス空間の表示システム、飲食店のメニュー立て、各種施設の表示板として、特に卓上用として好適に使用することができる。
【符号の説明】
【００１９】
１  パネル立て
１０  本体
１１  正面部
１１ａ  放熱空間（凹部）
１２  背面部
１３  台部
１４  屈曲部
１５  溝部
１７  係止部
２０，２１  弾性支持部材
２０ａ，２１ａ  ベース部
２０ｂ，２１ｂ  反転折り返し部
２０ｃ，２１ｃ  傾斜面部
２２，２３  弾性支持部材
３０  金属板
４０  ＬＥＤ光源
５０  放熱板
【図１】
0005631838.tif 000002
【図２】
0005631838.tif 000003
【図３】
0005631838.tif 000004
【図４】
0005631838.tif 000005
【図５】
0005631838.tif 000006
【図６】
0005631838.tif 000007
【図７】
0005631838.tif 000008
【図８】
0005631838.tif 000009